(57)【要約】      （修正有）【課題】切換スイッチを利用して加熱または保温を選択し、カップ体内の液体溶液の温度を維持し、さらには迅速に煮沸させる機能も達することができる、自動車用保温カップの温度制御装置を提供する。【解決手段】自動車用保温カップの温度制御装置は、主にカップ体、熱伝導体、断熱外殼、切換スイッチから構成される。そのうち、前記熱伝導体が前記カップ体の外周壁面上に貼付され、前記カップ体の内部溶液をあらかじめ定めた温度に迅速に加熱できる。前記断熱外殼が前記カップ体と密閉空間を形成し、前記断熱外殼の表面に設置された切換スイッチと、前記密閉空間内の高温制御装置及び低温制御装置が電気回路を形成する。これにより、使用者は切換スイッチを利用して加熱または保温を選択し、熱伝導体に対し電流の入力を行って発熱させ、カップ体内の液体溶液の温度を維持するか、さらには迅速に煮沸させることができる。【選択図】図６
0003153007.tif 000002
【実用新案登録請求の範囲】
【請求項１】
自動車用保温カップの温度制御装置であって、カップ体、熱伝導体、断熱外殼、切換スイッチを含み、
前記カップ体に液体溶液を入れるための収容空間が定義され、
前記熱伝導体が前記カップ体の外周壁面上に貼付され、前記カップ体の内部溶液をあらかじめ定めた温度に迅速に加熱するために用いられ、
前記断熱外殼が前記カップ体と密閉空間を形成し、
前記切換スイッチが前記断熱外殼の表面に設置され、かつ前記熱伝導体と電気回路を形成する、
ことを特徴とする、自動車用保温カップの温度制御装置。
【請求項２】
前記密閉空間内に高温制御装置と低温制御装置が設置され、かつ、前記高温制御装置と前記低温制御装置が前記切換スイッチ及び前記熱伝導体と電気回路を形成することを特徴とする、請求項１に記載の自動車用保温カップの温度制御装置。
【請求項３】
前記切換スイッチが保温スイッチ、電力切断スイッチ、加熱スイッチを含み、それぞれ前記熱伝導体の加熱温度の制御に用いられることを特徴とする、請求項１または２に記載の自動車用保温カップの温度制御装置。
【請求項４】
前記熱伝導体が可撓性材質であることを特徴とする、請求項１または２に記載の自動車用保温カップの温度制御装置。
【請求項５】
前記密閉空間内に回路板が設置され、前記回路板が前記断熱外殼上に設置された電源装置と相互に電気的に接続され、電圧範囲を制御することを特徴とする、請求項１に記載の自動車用保温カップの温度制御装置。
【請求項６】
さらに前記断熱外殼と相互に係合される蓋体を含み、かつ前記蓋体表面に排気孔が形成され、前記排気孔に感温体が設置されたことを特徴とする、請求項１に記載の自動車用保温カップの温度制御装置。
【請求項７】
前記密閉空間が、断熱材を充填した状態、または真空状態のいずれかであることを特徴とする、請求項１に記載の自動車用保温カップの温度制御装置。
【請求項８】
前記断熱外殼にさらにハンドルが設置され、かつ前記ハンドル上のあらかじめ定めた位置に前記切換スイッチと少なくとも１つのインジケータが設置されたことを特徴とする、請求項１に記載の自動車用保温カップの温度制御装置。
【考案の詳細な説明】
【技術分野】
【０００１】
本考案は自動自動車用保温カップに関し、特に、カップ体内の液体溶液の温度を効果的に制御できる、自動車用保温カップの温度制御装置に関する。
【背景技術】
【０００２】
一般に市販されている保温カップは保温効果を達することができ、断熱材を設置したものであり、図１に示すように、一般的な従来の保温カップは、保温カップ１が主に内殼１０と外殼１２から構成され、そのうち、前記内殼１０に溶液を入れるための収容空間１０２が定義され、前記内殼１０と前記外殼１２の間に間隙１４を形成し、かつ前記間隙１４内に断熱材１６（例：発泡材、スポンジ）を設置して、前記断熱材１６の保温効果により、前記保温カップ１中の溶液をその元の温度に維持することができる。しかしながら、このような断熱材１６を保温効果として利用しただけの保温カップ１は、短時間の保温効果しかなく、長時間保温することはできない。また、保温カップ１内の溶液に対して加熱することもできないため、長距離を運転する必要がある運転者にとって、適当な温度の液体溶液を提供することはできない。
【考案の概要】
【考案が解決しようとする課題】
【０００３】
本考案の主な目的は、使用者が切換スイッチを利用して加熱または保温の方式を選択し、熱伝導体に対して電流の入力を行って発熱させ、カップ体内の液体溶液の温度を維持し、さらには迅速に煮沸させる機能も達することができる、自動車用保温カップの温度制御装置を提供することにある。
【０００４】
本考案の別の目的は、蓋体に設置した感温体の膨張と収縮により、熱気を排出または保持し、カップ体内の液体溶液の温度を維持することができる、自動車用保温カップの温度制御装置を提供することにある。
【課題を解決するための手段】
【０００５】
本考案の自動車用保温カップの温度制御装置は、主にカップ体、熱伝導体、断熱外殼、切換スイッチから構成され、そのうち、前記熱伝導体が前記カップ体の外周壁面上に貼付され、前記断熱外殼表面に設置された前記切換スイッチと前記熱伝導体が電気回路を形成する。これにより、使用者は切換スイッチを利用して加熱または保温の方式を選択し、熱伝導体に対して電流の入力を行って発熱させ、カップ体内の液体溶液の温度を維持し、さらには迅速に煮沸させる機能も達することができる。
【０００６】
本考案の自動車用保温カップの温度制御装置は、さらに前記断熱外殼上に設置される蓋体を備え、前記蓋体表面に排気孔が形成され、かつ前記排気孔に感温体が設置され、前記感温体の膨張と収縮の原理により、前記カップ体内の溶液が沸騰すると、その熱気を受けて前記感温体が膨張して湾曲し、排気孔から離脱するため、このとき熱気を排気孔から排出することができ、温度が前記感温体のあらかじめ定めた温度値まで低下すると、温度低下によって前記感温体が収縮し、元の位置に戻って排気孔を塞ぎ、熱気が継続して解放されないようにする。
【図面の簡単な説明】
【０００７】
【図１】一般的な従来の保温カップの立体断面図である。
【図２】本考案の最良の実施例の立体図である。
【図３】本考案の最良の実施例の立体分解図である。
【図４】本考案の最良の実施例の断面図である。
【図５】本考案の自動車用シガレット電源を利用して加熱を行う使用状態を示す断面図である。
【図６】本考案の別の最良の実施例の自動車用シガレット電源を利用して保温を行う使用状態を示す断面図である。
【図７】本考案のさらに別の最良の実施例の保温カップでカップホルダを温度制御装置として利用した使用状態を示す断面図である。
【考案を実施するための形態】
【実施例１】
【０００８】
図２、図３、図４に本考案の最良の実施例の立体図、立体分解図、断面図をそれぞれ示す。これらの図からはっきりと分かるように、本考案の自動車用保温カップの温度制御装置は、その保温カップ２が主にカップ体２０、熱伝導体２２、断熱外殼２４、切換スイッチ２６から構成され、そのうち、前記熱伝導体２２は可撓性材質から成り、前記カップ体２０の外周壁面上に便利に貼付でき、前記カップ体２０内の液体溶液をあらかじめ定めた温度まで迅速に加熱することができる。前記断熱外殼２４は前記カップ体２０との間に密閉空間２０２を形成する。前記断熱外殼２４表面に設置された切換スイッチ２６と、前記密閉空間２０２内の高温制御装置２０４及び低温制御装置２０６が電気回路を形成する。前記密閉空間２０２内に設置された回路板２０８は、前記断熱外殼２４表面上の電源装置２８と相互に電気的に接続され、電力を提供すると共に、電圧範囲を制御する。また、前記断熱外殼２４表面にインジケータ２７が設置され、前記インジケータ２７の表示により使用状況を知ることができる。これにより、使用者は切換スイッチ２６を利用して加熱または保温の方式を選択し、前記熱伝導体２２に対して電流の入力を行って発熱させ、前記カップ体２０内の液体溶液の温度を維持し、さらには迅速に煮沸させる機能を達することもできる。
【０００９】
さらに、前記断熱外殼２４上に蓋体３が設置され、前記蓋体３の表面に排気孔３０が形成され、かつ前記排気孔３０に感温体３２が設置される。前記感温体３２の膨張と収縮の原理により、前記カップ体２０内の液体溶液が沸騰すると、その熱気を受けて前記感温体３２が膨張して湾曲し、前記排気孔３０から離脱するため、このとき熱気を前記排気孔３０から排出することができる。
【００１０】
同時に図５の本考案の自動車用シガレット電源を利用して加熱を行う使用状態を示す断面図を参照する。この図からはっきりと分かるように、電源装置２８は自動車用シガレット電源４に接続され、回路板２０８を介して電圧を一定にする（例：１２Ｖまたは２４Ｖ）。使用者が加熱を行いたいときは、前記断熱外殼２４の表面に設置された切換スイッチ２６と、前記カップ体２０の外壁上に貼付され、かつ前記密閉空間２０２（図は断熱材を充填した状態のものを例とする）内に位置する高温制御装置２０４が電気回路を形成し、前記高温制御装置２０４が前記熱伝導体２２と電気的接続を形成する。これにより、前記カップ体２０内の液体溶液に対して加熱を行うことができる。このほか、前記カップ体２０内の液体溶液が高温制御装置２０４にあらかじめ設定された高温範囲に達すると、前記高温制御装置２０４が前記切換スイッチ２６と電気信号を発生して電力を切断し、温度を維持すると共に、前記インジケータ２７の表示により、使用状況を知ることができる。
【００１１】
さらに、前記断熱外殼２４上に設置された蓋体３は、前記蓋体３の表面に排気孔３０が形成され、かつ前記排気孔３０に感温体３２が設置される。前記感温体３２の膨張と収縮の原理により、前記カップ体２０内の溶液が沸騰すると、その熱気を受けて前記感温体３２が膨張して湾曲し、前記離排気孔３０から離脱するため、このとき熱気を排気孔３０から排出することができる。
【実施例２】
【００１２】
図６に本考案の別の最良の実施例の自動車用シガレット電源を利用して保温を行う使用状態を示す断面図を示す。この図からはっきりと分かるように、前記密閉空間２０２ａ内の回路板２０８ａは前記断熱外殼２４ａ表面上の電源装置２８ａと相互に電気的に接続され、前記電源装置２８ａは前記自動車用シガレット電源４ａと相互に接続され、前記回路板２０８ａにより電圧を一定にする（例：１２Ｖまたは２４Ｖ）。使用者が前記カップ体２０ａ内の溶液に対して保温を行いたいときは、前記断熱外殼２４ａ上に設置されたハンドル５ａを例とすると、前記ハンドル５ａ上のあらかじめ定めた位置に切換スイッチ２６ａとインジケータ２７ａが設置され、前記切換スイッチ２６ａと、前記カップ体２０ａ外壁上に貼付され、かつ前記密閉空間２０２ａ（図は真空状態のものを例とする）内に位置する低温制御装置２０６ａが電気回路を形成し、前記熱伝導体２２ａと電気的接続を形成する。これにより、前記カップ体２０ａ内の液体溶液の保温状態を維持することができる。このほか、カップ体２０a内の液体溶液が低温制御装置２０６ａにあらかじめ定めた低温範囲まで低下すると、前記低温制御装置２０６ａが前記切換スイッチ２６ａと電気信号を発生し、前記高温制御装置２０４ａを作動させ、前記カップ体２０ａ内の液体溶液に対し加熱を行い、さらに前記インジケータ２７ａと切換スイッチ２６ａの接続を通して、保温カップ２ａの加熱状況を知ることができる。
【００１３】
前記断熱外殼２４ａ上には蓋体３ａが設置され、前記蓋体３ａの表面に排気孔３０ａが形成され、かつ前記排気孔３０ａに感温体３２ａが設置され、前記感温体３２ａの膨張と収縮の原理により、温度が前記感温体３２ａのあらかじめ定めた温度値まで低下すると、温度低下によって前記感温体３２ａが収縮し、元の位置に戻って排気孔３０ａを塞ぎ、熱気が継続して解放されないようにし、カップ体２０ａ内の液体溶液の温度を維持する。
【実施例３】
【００１４】
図７に本考案のさらに別の最良の実施例の保温カップでカップホルダを温度制御装置として利用した使用状態を示す断面図を示す。この図からはっきりと分かるように、自動車の車内に固定されたカップホルダ６ｂ内に電源装置２８ｂと回路板２０８ｂがそれぞれ設置され、かつ相互に電気的に接続され、さらに前記カップホルダ６ｂ内に導電固定部材６０ｂが設置され、前記導電固定部材６０ｂはカップ体２０ｂに導電するだけでなく、カップホルダ６ｂが傾斜して倒れないよう固定することもでき、また前記電源装置２８ｂが自動車用シガレット電源４ｂと接続され、前記回路板２０８ｂを介して電圧を一定にする（例：１２Ｖまたは２４Ｖ）。使用者が前記カップ体２０ｂ内の溶液を保温したいときは、前記断熱外殼２４ｂ上のハンドル５ｂを例とすると、前記ハンドル５ｂ上のあらかじめ定めた位置に切換スイッチ２６ｂとインジケータ２７ｂが設置され、前記切換スイッチ２６ｂと、前記カップ体２０ｂ外周壁面上に貼付され、かつ密閉空間２０２ｂ（図は真空状態のものを例とする）内に位置する低温制御装置２０６ｂが電気回路を形成し、さらに熱伝導体２２ｂと電気的接続を形成する。これにより、前記カップ体２０ｂ内の液体溶液の保温状態を維持することができる。このほか、前記カップ体２０ｂ内の液体溶液が低温制御装置２０６ｂにあらかじめ定めた低温範囲まで低下すると、低温制御装置２０６ｂが電源装置２８ｂと電気信号を発生し、高温制御装置２０４ｂを作動させて前記カップ体２０ｂ内の液体溶液に対し加熱を行わせ、さらに前記インジケータ２７ｂと切換スイッチ２６ａの接続により、前記保温カップ２ｂの加熱状況を知ることができる。
【００１５】
断熱外殼２４ｂ上には蓋体３ｂが設置され、前記蓋体３ｂの表面に排気孔３０ｂが形成され、かつ前記排気孔３０ｂに感温体３２ｂが設置され、前記感温体３２ｂの膨張と収縮の原理により、温度が前記感温体３２ｂのあらかじめ定めた温度値まで低下すると、温度低下によって前記感温体３２ｂが収縮し、元の位置に戻って排気孔３０ｂを塞ぎ、熱気が継続して解放されないようにし、カップ体２０ｂ内の液体溶液の温度を維持する。
【符号の説明】
【００１６】
１、２、２ａ、２ｂ    保温カップ
１０      内殼
１０２    収容空間
１２      外殼
１４      間隙
１６      断熱材
２０、２０ａ、２０ｂ    カップ体
２０２、２０２ａ、２０２ｂ    密閉空間
２０４、２０４ａ、２０４ｂ    高温制御装置
２０６、２０６ａ、２０６ｂ    低温制御装置
２０８、２０８ａ、２０８ｂ    回路板
２２、２２ａ、２２ｂ    熱伝導体
２４、２４ａ、２４ｂ    断熱外殼
２６、２６ａ、２６ｂ    切換スイッチ
２７、２７ａ、２７ｂ    インジケータ
２８、２８ａ、２８ｂ    電源装置
３、３ａ、３ｂ    蓋体
３０、３０ａ、３０ｂ    排気孔
３２、３２ａ、３２ｂ    感温体
４、４ａ、４ｂ    自動車用シガレット電源
５ａ、５ｂ    ハンドル
６ｂ      カップホルダ
６０ｂ    導電固定部材
【図１】
0003153007.tif 000003
【図２】
0003153007.tif 000004
【図３】
0003153007.tif 000005
【図４】
0003153007.tif 000006
【図５】
0003153007.tif 000007
【図６】
0003153007.tif 000008
【図７】
0003153007.tif 000009